(57)【特許請求の範囲】
【請求項１】
ポンプ室の一部を構成するダイヤフラムと、前記ダイヤフラムを前記ポンプ室に対して進退させる揺動体と、前記揺動体を揺動させる揺動体駆動機構とを備え、前記揺動体駆動機構によって前記揺動体を揺動させ、前記ダイヤフラムを前記ポンプ室に対して進退させることによって、前記ポンプ室の拡張及び収縮を繰り返すダイヤフラムポンプであって、
前記揺動体駆動機構は、駆動モータと、該駆動モータの出力軸に対して傾斜した外周面を有し、該出力軸とともに回動するよう該出力軸の周囲に固着された円柱状の傾斜クランク部材とを備え、
前記揺動体は、前記傾斜クランク部材の外周面の周方向に対して相対的に回転可能に、かつ外周面の軸方向に対して相対的に移動不能となるように、前記傾斜クランク部材の外周面の周囲に取り付けられるよう構成されている
ことを特徴とするダイヤフラムポンプ。
【請求項２】
前記傾斜クランク部材は、その中心軸と斜めに交差する方向に前記出力軸を挿入する傾斜穴を有し、該傾斜穴に前記出力軸を挿入することにより、該出力軸に対して傾斜した状態で該出力軸の周囲に取り付けられるよう構成されている
ことを特徴とする請求項１に記載のダイヤフラムポンプ。
【請求項３】
前記揺動体は、径方向の中心部に前記傾斜クランク部材が相対的に回転可能に取り付けられる取付部を有し、
前記取付部は、前記傾斜クランク部材を収容可能な内径を有する円筒状に形成されており、
前記揺動体駆動機構は、前記傾斜クランク部材の外周面と、前記揺動体の前記取付部の内面との間に介装される上下一対の軸受け部材をさらに備える
ことを特徴とする請求項１又は２に記載のダイヤフラムポンプ。
【請求項４】
前記ダイヤフラムは、中央部に円形状の開口が形成された環状に形成されており、その周方向に沿って、前記ポンプ室に対して進退移動する可動部と、前記可動部の周囲を囲むように設けられ、前記ポンプ室に対する前記可動部の進退移動を許容する可撓性を有する可撓部とが複数設けられており、
前記可動部は、周方向を長手方向とする繭型の形状を有しており、
前記傾斜クランク部材及び前記揺動体の取付部は、前記ダイヤフラムの前記開口内に配置されている
ことを特徴とする請求項３に記載のダイヤフラムポンプ。
【発明の詳細な説明】
【技術分野】
【０００１】
本発明は、揺動体の揺動運動によってダイヤフラムを往復運動させることにより流体を流動させるダイヤフラムポンプに関するものである。
【背景技術】
【０００２】
従来、ダイヤフラムを利用して流体を流動させるダイヤフラムポンプとして、例えば図６及び図７に示すように、ポンプケース１０２内にポンプ室１０４を形成する複数のダイヤフラム部１０６と、複数のダイヤフラム部１０６を支持する揺動体１０８と、揺動体１０８を揺動させる揺動体駆動機構１１０とを備えるものが知られている（特許文献１及び２）。この従来のダイヤフラムポンプは、揺動体駆動機構１１０によって揺動体１０８を揺動させることでダイヤフラム部１０６をポンプ室１０４に対して進退させ、ポンプ室１０４の容積を周期的に変化させることで流体の流入及び流出を行うよう構成されている。
【０００３】
揺動体１０８を揺動させるための揺動体駆動機構１１０としては、従来、種々の構成のものが用いられている。例えば、特許文献１に記載の揺動体駆動機構１１０は、図６に示すように、駆動モータ１１２と、駆動モータ１１２の出力軸１１４に固定されたクランク台１１６ａと、上端部が出力軸１１４の中心軸上に位置するように、駆動モータ１１２の出力軸１１４に対して所定角度傾斜して設けられた傾斜軸１１８ａとから構成されている。この傾斜軸１１８ａは、下端部がクランク台１１６ａに稙設されると共に、上端部が軸受け（図示せず）介して揺動体１０８の径方向中心部に相対回転可能に取り付けられている。
【０００４】
また、特許文献２に記載の揺動体駆動機構１１０は、図７に示すように、駆動モータ１１２と、駆動モータ１１２の出力軸１１４に固定されたクランク台１１６ｂと、上端部が出力軸１１４の中心軸上に位置するように、駆動モータ１１２の出力軸１１４に対して所定角度傾斜して設けられた傾斜軸１１８ｂとから構成されている。この傾斜軸１１８ｂは、揺動体１０８の径方向中心部を貫通して設けられ、その軸方向の中間部が揺動体１０８の径方向中心部に固着されている。また、傾斜軸１１８ｂは、下端部がクランク台１１６ｂに形成された凹部に遊嵌され、上端部がポンプケース１０２に形成された凹部に遊嵌されることにより、クランク台１１６ｂとポンプケース１０２との間において狭持されている。
【０００５】
これら特許文献１及び２に記載の揺動体駆動機構１１０は、いずれも、駆動モータ１１２の出力軸１１４の回転によりクランク台１１６ａ，１１６ｂが回転し、これに伴って傾斜軸１１８ａ，１１８ｂが傾斜した状態で上端部を中心に回転し、この傾斜軸１１８ａ，１１８ｂのすりこぎ運動によって、揺動体１０８が皿回しの原理による揺動運動を繰り返し行うよう構成されている。
【先行技術文献】
【特許文献】
【０００６】
【特許文献１】特開平０３−２５３７８１号公報
【特許文献２】特開２００２−８９４５２号公報
【発明の概要】
【発明が解決しようとする課題】
【０００７】
ところで、小型のダイヤフラムポンプにおいては、小さい製品外径のなかでダイヤフラムの駆動ストロークを大きく取ろうとするとダイヤフラムの外周と内周のストローク差が過大になるなど、種々の設計上の難点がある。このため、従来のダイヤフラムポンプにおける傾斜軸の実際の傾斜角度は、およそ１０度前後と小さめに設定されるのが一般的である。
【０００８】
しかしながら、従来のダイヤフラムポンプにおいて、傾斜軸１１８ａ，１１８ｂの傾斜角度を小さく設定するためには、駆動モータ１１２の出力軸１１４と傾斜軸１１８ａ，１１８ｂとの干渉を防ぐために、傾斜軸１１８ａ，１１８ｂとして長尺な棒部材を用いる必要がある。このため、従来のダイヤフラムポンプでは、製品の長大化を避けることができないという問題がある。
【０００９】
本発明は、上述した従来技術の問題点に鑑みてなされたものであり、その目的は、揺動体と駆動モータとの間隔を短縮することが可能な小型のダイヤフラムポンプを提供することにある。
【課題を解決するための手段】
【００１０】
本発明に係るダイヤフラムポンプは、ポンプ室の一部を構成するダイヤフラムと、前記ダイヤフラムを前記ポンプ室に対して進退させる揺動体と、前記揺動体を揺動させる揺動体駆動機構とを備え、前記揺動体駆動機構によって前記揺動体を揺動させ、前記ダイヤフラムを前記ポンプ室に対して進退させることによって、前記ポンプ室の拡張及び収縮を繰り返すダイヤフラムポンプであって、前記揺動体駆動機構は、駆動モータと、該駆動モータの出力軸に対して傾斜した外周面を有し、該出力軸とともに回動するよう該出力軸の周囲に固定された円柱状の傾斜クランク部材とを備え、前記揺動体は、前記傾斜クランク部材の外周面の周方向に対して相対的に回転可能に、かつ外周面の軸方向に対して相対的に移動不能となるように、前記傾斜クランク部材の外周面の周囲に取り付けられるよう構成されていることを特徴とする。
【００１１】
本発明に係るダイヤフラムポンプにおいて、前記傾斜クランク部材は、その中心軸と斜めに交差する方向に前記出力軸を挿入する傾斜穴を有し、該傾斜穴に前記出力軸を挿入することにより、該出力軸に対して傾斜した状態で該出力軸の周囲に取り付けられるよう構成されることが好ましい。
【００１２】
また、本発明に係るダイヤフラムポンプにおいて、前記揺動体は、径方向の中心部に前記傾斜クランク部材が相対的に回転可能に取り付けられる取付部を有し、前記揺動体駆動機構は、前記傾斜クランク部材の外周面と、前記揺動体の前記取付部の内面との間に介装される軸受け部材をさらに備えることが好ましい。
【発明の効果】
【００１３】
本発明によれば、駆動モータの出力軸の周囲に傾斜クランク部材を介して揺動体を配設することが可能となるため、揺動体と駆動モータとの間隔を短縮することができ、これにより、小型のダイヤフラムポンプを提供することができる。
【図面の簡単な説明】
【００１４】
【図１】本実施形態に係るダイヤフラムポンプの概略構成を示す断面図である。
【図２】図１に示すダイヤフラムポンプを分解した状態を示す断面図である。
【図３】図３（ａ）は、ダイヤフラムを平面方向（ポンプヘッド側）から見た状態を示す平面図であり、図３（ｂ）は、図３（ａ）のＡ−Ａ´線に沿った断面図である。
【図４】揺動体の揺動体本体を平面方向（ポンプヘッド側）から見た平面図である。
【図５】傾斜クランク部材の概略構成を示す断面図である。
【図６】従来のダイヤフラムポンプの概略構成を示す断面図である。
【図７】従来の他の例のダイヤフラムポンプの概略構成を示す断面図である。
【発明を実施するための形態】
【００１５】
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１６】
本実施形態に係るダイヤフラムポンプ１は、図１に示すように、ポンプケース１０と、ポンプケース１０内に形成されるポンプ室１２の一部を構成するダイヤフラム２０と、ダイヤフラム２０を支持する揺動体３０と、揺動体３０を揺動させる揺動体駆動機構４０とを備えた小型ポンプである。なお、図１及び図２に示すダイヤフラム２０の断面図は、図３（ａ）に示すＢ−Ｂ´線に沿った断面を示す図であり、図１及び図２に示す揺動体３０（揺動体本体３２）の断面図は、図４に示すＣ−Ｃ´線に沿った断面を示す図である。
【００１７】
ポンプケース１０は、図１及び図２に示すように、吸入口１４ａ及び排出口１４ｂが正面（図中の上方）に向けて平行に突設されたポンプヘッド（マニホールド）１０ａと、ダイヤフラム２０と共にポンプ室１２を形成するハウジング１０ｂと、ハウジング１０ｂの下端縁との間においてダイヤフラム２０の外周縁部２０ａ及び内周縁部２０ｂを狭持するダイヤフラムベース１０ｃとを備えている。ハウジング１０ｂには、吸入口１４ａを介して流入した流体（液体又は気体）をポンプ室１２内に流入させるための流入孔（図示せず）が形成されており、該流入孔には、吸入口１４ａを介して流入した流体がポンプ室１２に流入することを許容し、ポンプ室１２内の流体が流出することを規制する吸入側逆止弁１６ａが設けられている。また、ハウジング１０ｂには、ポンプ室１２内の流体を排出口１４ｂに向けて流出させる流出孔（図示せず）が形成されており、該流出孔には、ポンプ室１２内の流体が流出することを許容し、排出口１４ｂ側からポンプ室１２に向けて流体が逆流することを規制する排出側逆止弁１６ｂが設けられている。
【００１８】
ダイヤフラム２０は、図２及び図３（ａ）に示すように、例えばゴム等の柔らかい素材からなる隔膜であり、円盤状の中央部に円形状の開口２２が形成された形状、すなわち、環状（ドーナッツ状）に形成されている。このダイヤフラム２０は、ポンプ室１２に対して進退する部位である可動部２４と、各可動部２４の周囲を囲むように設けられ、弾性変形することにより可動部２４の進退移動を許容する可撓部２６とが、周方向に沿って複数、本実施形態では３つ設けられている。本実施形態に係るダイヤフラム２０では、３つの可動部２４及び可撓部２６は、それぞれ同一の形状及び構造を有している。
【００１９】
可動部２４は、平面視では、図３（ａ）に示すように、ダイヤフラム２０の周方向に沿って延びる形状、本実施形態ではダイヤフラム２０の周方向を長手方向とする略繭型の形状を有し、断面視では、図３（ｂ）に示すように、略平坦な形状を有している。この可動部２４は、図３（ａ）及び図３（ｂ）に示すように、その中央部に、ビス３６のねじ部を貫通させるための貫通孔２５が形成されている。
【００２０】
可撓部２６は、平面視では、図３（ａ）に示すように、可動部２４の周囲を囲うように可動部２４の外縁に沿った輪郭形状、本実施形態ではダイヤフラム２０の周方向に沿って延びる略繭型の輪郭形状を有している。この可撓部２６は、ダイヤフラム２０の周方向に沿って延びる長辺を少なくとも有している。具体的には、可撓部２６は、ダイヤフラム２０の外周縁部２０ａに沿って延びる円弧状の外縁部２６ａと、ダイヤフラム２０の内周縁部２０ｂに沿って延びる円弧状の内縁部２６ｂと、外縁部２６ａ及び内縁部２６ｂの各端部をそれぞれ連結する半円状の連結部２６ｃ，２６ｄとからなる略繭型の輪郭形状を有している。外縁部２６ａ及び内縁部２６ｂは、連結部２６ｃ，２６ｄの長手方向の長さよりも長い長手方向の長さを有し、外縁部２６ａは、内縁部２６ｂの長手方向の長さよりも長い長手方向の長さを有している。また、可撓部２６は、長手方向と直交する断面視では、図３（ｂ）に示すように、ポンプ室１２に臨む方向に凸となる山状（すなわち、断面逆Ｕ字状）の断面形状を有している。
【００２１】
揺動体３０は、図２に示すように、揺動体駆動機構４０に取り付けられる１つの揺動体本体３２と、ダイヤフラム２０の可動部２４毎に設けられ、揺動体本体３２との間でダイヤフラム２０の各可動部２４を挟み込んで支持する複数（本実施形態では３つ）の押さえ部材３４とを備えている。
【００２２】
揺動体本体３２は、傾斜クランク部材４２の外周面４２ｂの周方向に対して相対的に回転可能に、かつ外周面４２ｂの軸方向に対して相対的に移動不能となるように、傾斜クランク部材４２の外周面４２ｂの周囲に取り付けられるよう構成されている。具体的には、揺動体本体３２は、図２及び図４に示すように、径方向の中心部に形成された取付部３２ａと、この取付部３２ａから径方向外側に延設された複数（本実施形態では３つ）の支持腕部３２ｂとを備えている。取付部３２ａは、揺動体駆動機構４０を収容可能な内径を有する円筒状に形成されている。支持腕部３２ｂは、図４に示すように、ダイヤフラム２０の可動部２４と同数設けられている。すなわち、本実施形態では、揺動体本体３２は、３つの支持腕部３２ｂが１２０度の位相をおいて設けられた三又形状を有している。この支持腕部３２ｂは、図２に示すように、取付部３２ａからダイヤフラム２０の可動部２４と整合する位置に至るまでの径方向の長さを有しており、その先端部３２ｃがダイヤフラム２０の可動部２４に向けて隆起した形状を有している。先端部３２ｃは、ダイヤフラム２０の可動部２４と平行な上面３３を有しており、また、ビス３６のねじ部を螺着させるためのねじ孔３２ｄが形成されている。この上面３３は、ダイヤフラム２０の可動部２４と概ね同形同大に形成されており、可動部２４の下面の略全域と接するよう構成されている。
【００２３】
押さえ部材３４は、揺動体本体３２の上面３３と概ね同形同大に形成されており、ダイヤフラム２０の可動部２４の上面の略全域と接するよう構成されている。この押さえ部材３４は、図２に示すように、ダイヤフラム２０の可動部２４と平行な下面を有しており、揺動体本体３２の支持腕部３２ｂの先端部３２ｃに対してビス３６により取り付けられることにより、図１に示すように、この先端部３２ｃの上面３３との間においてダイヤフラム２０の可動部２４を密に狭持するよう構成されている。このように、本実施形態に係る揺動体３０は、先端部３２ｃの上面３３と押さえ部材３４の下面との間においてダイヤフラム２０の可動部２４を密に狭持することにより、先端部３２ｃの上面３３及び押さえ部材３４の下面と、ダイヤフラム２０の可動部２４との相対角度が駆動中においても変化しないよう、本実施形態ではこれら各面が常に平行となるよう構成されている。
【００２４】
揺動体駆動機構４０は、図２に示すように、駆動モータ５０と、駆動モータ５０の出力軸５２に対して傾斜した外周面４２ｂを有し、出力軸５２とともに回動するよう出力軸５２の周囲に固定される円柱状の傾斜クランク部材４２と、傾斜クランク部材４２の外周面４２ｂと、揺動体３０の取付部３２ａの内面との間に介装される軸受け部材４４とを備えている。
【００２５】
傾斜クランク部材４２は、図５に示すように、その上面から下面に亘って、その中心軸Ｘと斜めに交差する方向に貫通する傾斜穴４２ａを有している。この傾斜穴４２ａは、駆動モータ５０の出力軸５２が挿入可能な径を有している。この傾斜クランク部材４２は、図２に示すように、傾斜穴４２ａに駆動モータ５０の出力軸５２が挿入され、図示しないビス等により出力軸５２に相対的に回転不能に固着されることにより、出力軸５２に対して外周面４２ｂが傾斜した状態で出力軸５２の周囲に取り付けられるよう構成されている。
【００２６】
軸受け部材４４は、揺動体３０の取付部３２ａ内に傾斜クランク部材４２を相対的に回転可能に設けるために、傾斜クランク部材４２の外周面４２ｂと、揺動体３０の取付部３２ａの内面との間に上下一対設けられている。なお、図１及び図２では、軸受け部材４４の一例としてボールベアリングを図示したが、これに限定されず、揺動体３０の取付部３２ａ内に傾斜クランク部材４２を相対的に回転可能に取り付けることが可能なものであれば、種々の軸受け部材を採用することができる。
【００２７】
以上の構成を備える揺動体駆動機構４０は、駆動モータ５０の出力軸５２の回転に伴って傾斜クランク部材４２が出力軸５２に対して傾いた状態で回転することにより、この傾斜クランク部材４２のすりこぎ運動によって、軸受け部材４４を介して取り付けられた揺動体３０が皿回しの原理による揺動運動を繰り返し行うよう構成されている。また、本実施形態に係る揺動体３０は、揺動体駆動機構４０によって揺動することにより、ダイヤフラム２０の可動部２４をポンプ室１２に対して進退させ、これにより、ポンプ室１２の拡張及び収縮を繰り返すよう構成されている。すなわち、本実施形態に係るダイヤフラムポンプ１は、駆動モータ５０の回転力が揺動体３０の揺動方向の動きに変換され、この揺動方向の動きによってダイヤフラム２０の可動部２４が進退方向に往復運動するよう構成されており、このダイヤフラム２０の進退方向の往復運動と、ポンプケース１０に設けられた吸入側逆止弁１６ａ及び排出側逆止弁１６ｂとが協働することにより、ポンプとして機能するよう構成されている。
【００２８】
また、本実施形態に係る揺動体３０は、図２に示すように、取付部３２ａ内に揺動体駆動機構４０の傾斜クランク部材４２及び軸受け部材４４が取り付けられることにより、傾斜クランク部材４２及び軸受け部材４４を介して駆動モータ５０の出力軸５２の周囲に配設されるよう構成されている。すなわち、本実施形態に係るダイヤフラムポンプ１は、駆動モータ５０の出力軸５２を中心として、出力軸５２の周囲を囲むように傾斜クランク部材４２及び軸受け部材４４が設けられ、これら傾斜クランク部材４２及び軸受け部材４４の周囲を囲むように揺動体３０が配されており、これら出力軸５２、傾斜クランク部材４２、軸受け部材４４及び揺動体３０の高さレベル（図２中の上下方向の位置）が同程度となるよう構成されている。
【００２９】
次に、本実施形態に係るダイヤフラムポンプ１の動作について説明する。まず、駆動モータ５０を駆動させ、出力軸５２を回転させることにより、傾斜クランク４２を回転させる。また、この回転に伴い、傾斜クランク４２の周囲に配設されている揺動体３０を揺動させる。なお、傾斜クランク４２を回転させた際には、傾斜クランク４２の外周面４２ｂが出力軸５２に対して傾いているため、揺動体３０は、周方向に沿った回転と、上下方向の振れ（揺動）とのいずれかの動作をすることになる。しかしながら、揺動体３０は、ダイヤフラム２０の周方向の剛性により周方向に沿った回転が規制されるため、結果的に上下方向の振れの動き（揺動）のみが取り出される。また、この揺動体３０の上下方向の振れ（揺動）に伴い、ダイヤフラム２０の可動部２４をポンプ室１２に対して進退方向に往復運動させる。そして、このダイヤフラム２０の可動部２４の往復運動によってポンプ室１２内の容積を増減させることにより、ポンプ室１２内の流体（液体又は気体）を圧縮又は膨張させ、吸入側逆止弁１６ａ及び排出側逆止弁１６ｂの相互作用によって、流体を押し出す動作及び吸い込む動作を交互に連続して行う。
【００３０】
以上のように、本実施形態に係るダイヤフラムポンプ１は、ポンプ室１２の一部を構成するダイヤフラム２０と、ダイヤフラム２０を支持する揺動体３０と、揺動体３０を揺動させる揺動体駆動機構４０とを備え、揺動体駆動機構４０によって揺動体３０を揺動させ、ダイヤフラム２０をポンプ室１２に対して進退させることによって、ポンプ室１２の拡張及び収縮を繰り返すダイヤフラムポンプ１であって、揺動体駆動機構４０は、駆動モータ５０と、駆動モータ５０の出力軸５２に対して傾斜した外周面４２ｂを有し、出力軸５２とともに回動するよう出力軸５２の周囲に固定された円柱状の傾斜クランク部材４２とを備え、揺動体３０は、傾斜クランク部材４２の外周面４２ｂの周方向に対して相対的に回転可能に、かつ外周面４２ｂの軸方向に対して相対的に移動不能となるように、傾斜クランク部材４２の外周面４２ｂの周囲に取り付けられるよう構成されている。
【００３１】
このようなダイヤフラムポンプ１によれば、駆動モータ５０の出力軸５２の周囲に傾斜クランク部材４２を介して揺動体３０を配設させることが可能となり、傾斜クランク４２の外周面４２ｂの周囲に揺動体３０が位置し、傾斜クランク４２の内部に出力軸５２が位置するように径方向に住み分けることが可能となるため、出力軸５２と揺動体３０の回転軸とが干渉することなく、揺動体３０と駆動モータ５０との間隔（製品の高さ方向の寸法）を短縮することができ、これにより、小型化を図ることが可能である。
【００３２】
また、特許文献１及び２に記載されたような従来のダイヤフラムポンプでは、クランク台１１６ａ，１１６ｂの偏心量をかなり小さくとらざるを得ないため、少しの偏心量のばらつきがダイヤフラムのストロークに大きく影響するという問題がある。これに対し、本実施形態に係るダイヤフラムポンプ１によれば、クランク台及び傾斜軸を必須とする従来の揺動体駆動機構とは全く異なる新規な揺動体駆動機構４０を採用しているため、上記従来のダイヤフラムポンプの問題が生じないという利点を有している。
【００３３】
さらに、特許文献１及び２に記載されたような従来のダイヤフラムポンプは、傾斜軸１１８ａ，１１８ｂが長尺な棒部材であり、破損し易いという問題がある。これに対し、本実施形態に係るダイヤフラムポンプ１によれば、傾斜軸を必須とする従来の揺動体駆動機構とは全く異なる新規な揺動体駆動機構４０を採用しているため、従来の揺動体駆動機構に比べて破損し難いという利点を有している。
【００３４】
本実施形態に係るダイヤフラムポンプ１は、種々の製品に採用することができ、その用途が限定されるものではないが、特に、環境計測機器、血圧計及び電気ポット等の小型なダイヤフラムポンプが要求される製品に対して、好適に用いることができる。
【００３５】
以上、本発明の好適な実施形態について説明したが、本発明の技術的範囲は、上述した実施形態に記載の範囲には限定されない。上記各実施形態には、多様な変更又は改良を加えることが可能である。
【００３６】
例えば、上述した実施形態では、傾斜クランク４２が単純な円柱形状であるものとして説明したが、これに限定されず、例えば、上下一対の軸受け部材４４の径を上下で異ならせる構成や、傾斜クランク４２に駆動モータ５０の出力軸５２への固定部を付加した構成等、単純な円柱形状以外の設計的バリエーションが考えられることは自明である。
【００３７】
また、上述した実施形態では、傾斜クランク部材４２の外周面４２ｂと揺動体３０の取付部３２ａの内面との間に軸受け部材４４が設けられるものとして説明したが、これに限定されず、傾斜クランク部材４２の周囲に揺動体３０が相対回転可能に取り付けられる構成であれば、軸受け部材４４が設けられなくても良い。
【００３８】
さらに、上述した実施形態では、傾斜クランク部材４２が上面から下面に亘って貫通する傾斜穴４２ａを有するものとして説明したが、これに限定されず、この傾斜穴４２ａは、下面から上面方向に向けて斜めに延びる凹部であるとしても良い。
【００３９】
上記のような変形例が本発明の範囲に含まれることは、特許請求の範囲の記載から明らかである。
【符号の説明】
【００４０】
１  ダイヤフラムポンプ、１２  ポンプ室、２０  ダイヤフラム、３０  揺動体、３２ａ取付部、４０  揺動体駆動機構、４２  傾斜クランク部材、４２ａ  傾斜穴、４２ｂ  外周面、４４  軸受け部材、５０  駆動モータ、５２  出力軸
【図１】
0006483393.tif 000002
【図２】
0006483393.tif 000003
【図３】
0006483393.tif 000004
【図４】
0006483393.tif 000005
【図５】
0006483393.tif 000006
【図６】
0006483393.tif 000007
【図７】
0006483393.tif 000008